(57)【要約】【課題】  ピーク検出用のレベル検出手段の電圧降下分を補償して最大振幅レベルを正確に保持することができる最大振幅レベル保持装置を提供する。【解決手段】  遅延部５は、演算増幅器４からの出力信号を演算増幅器４に対して並列に接続される複数の遅延器にて遅延する。レベル検出部６は、遅延部５によって遅延された各信号の正の最大振幅レベルであるピークレベルを検出する。補償部７は、レベル検出部６が各信号の最大振幅レベルを検出するときに発生する各電圧降下を補償する。【選択図】  図１
2006048759.tif 000002
【特許請求の範囲】
【請求項１】
入力信号の最大振幅レベルを保持する最大振幅レベル保持装置において、
上記入力信号のインピーダンスを変換するインピーダンス変換手段と、
上記インピーダンス変換手段によってインピーダンスが変換された信号を異なる遅延量で遅延させるようにインピーダンス変換手段に対して並列に接続される複数の遅延手段と、
上記複数の遅延手段によって異なる遅延量で遅延された各信号の最大振幅レベルを検出するレベル検出手段と、
上記レベル検出手段が各信号の最大振幅レベルを検出するときに発生する電圧降下を補償する補償手段と
を備えることを特徴とする最大振幅レベル保持装置。
【請求項２】
上記レベル検出手段は、互いに特性の等しい一対のトランジスタを複数組カレントミラー構成にして用いてなることを特徴とする請求項１記載の最大振幅レベル保持装置。
【請求項３】
上記補償手段は、上記レベル検出手段に流れる電流と等しい電流が上記レベル検出手段と特性の等しいスイッチング手段を通るときに得られる電圧降下分により、上記レベル検出手段の電圧降下を補償することを特徴とする請求項１記載の最大振幅レベル保持装置。
【請求項４】
上記各レベル検出手段により、上記複数の遅延手段によって異なる遅延量で遅延された各信号を順方向にスイッチングすることにより正の最大振幅レベルを保持することを特徴とする請求項１記載の最大振幅レベル保持装置。
【請求項５】
上記レベル検出手段により、上記複数の遅延手段によって異なる遅延量で遅延された各信号を逆方向にスイッチングすることにより負の最大振幅レベルを保持することを特徴とする請求項１記載の最大振幅レベル保持装置。
【請求項６】
光ディスクに情報信号を記録する光ディスク記録装置にあって記録用レーザ光の出力を自動調整する自動出力制御装置において、
上記記録用レーザ光のモニタ信号のインピーダンスを変換するインピーダンス変換手段と、上記インピーダンス変換手段によってインピーダンスが変換されたモニタ信号を異なる遅延量で遅延させるように並列に接続される複数の遅延手段と、上記複数の遅延手段によって異なる遅延量で遅延された各モニタ信号の最大振幅レベルを検出するレベル検出手段と、上記複数のレベル検出手段が各信号の最大振幅レベルを検出するときに発生する電圧降下を補償する補償手段とを有する最大振幅レベル保持手段と、
上記最大振幅レベル保持手段で検出された最大振幅レベルをサンプル／ホールドするサンプル／ホールド手段と、
上記サンプル／ホールド手段によってホールドされた最大振幅レベルに基づいて上記記録用レーザ光の出力を自動制御する制御手段と
を備えることを特徴とする自動出力制御装置。
【請求項７】
上記最大振幅レベル保持手段のレベル検出手段は、互いに特性の等しい一対のトランジスタを複数組カレントミラー構成にして用いてなることを特徴とする請求項６記載の自動出力制御装置。
【請求項８】
上記最大振幅レベル保持手段の上記補償手段は、レベル検出手段に流れる電流と等しい電流が上記レベル検出手段と特性の等しいスイッチング検出手段を通るときに得られる電圧降下分により、上記レベル検出手段の電圧降下を補償することを特徴とする請求項６記載の自動出力制御装置。
【請求項９】
上記最大振幅レベル保持手段として、上記レベル検出手段により上記複数の遅延手段によって異なる遅延量で遅延された各信号を順方向にスイッチングすることにより正の最大振幅レベルを保持するピークホールド手段と、上記各レベル検出手段により上記複数の遅延手段によって異なる遅延量で遅延された各信号を逆方向にスイッチングすることにより負の最大振幅レベルを保持するボトムホールド手段を共に備えることを特徴とする請求項６記載の自動出力制御装置。
【発明の詳細な説明】
【技術分野】
【０００１】
本発明は、入力端子から入力される信号の最大振幅レベルを保持する最大振幅レベル保持装置及び上記最大振幅レベル保持装置を用いて光ディスクに情報信号を記録する光ディスク記録装置にて記録用レーザ光のパワーを自動調整する自動出力制御装置に関する。
【背景技術】
【０００２】
従来のピークホールド回路では、例えばダイオードとコンデンサの組み合わせにより実現している。ところが、追従性能を高めるためには、コンデンサの容量を減らし、応答性を良くすることが考えられる。しかし、コンデンサの容量を減らすと、コンデンサのディスチャージによりピークレベルの減少が早いために、早いパルスのピークを長い時間ホールドするのが難しかった。
【０００３】
ピークホールド回路でホールドした電圧をサンプリングしてシステムを組み立てる場合、ピークホールドしている時間が短くなるために、サンプリングのタイミングを設定するのが難しかった。そのため、高速のＡ／Ｄ変換器を用いてサンプリングする必要があったため、安価なシステムを構成することが難しかった。
【０００４】
そこで、下記の特許文献１には、入力端子と複数のインピーダンス変換器と複数の遅延回路と、同数個のダイオードと、１個のコンデンサとから構成されたピーク値検出回路が開示された。正のピーク値検出の場合、スパイク波形は、複数のインピーダンス変換器によりインピーダンスが変換され、その後に、少しずつ遅延時間の異なる複数の遅延回路を通ることにより、スパイク波形が時間的に遅れ、これらの波形を複数のダイオードを通すことで、正の成分だけを通過させる。そして、同一時間内に存在する波形の数が増えた波形を、コンデンサによってそのピークレベルを長く保持している。
【０００５】
【特許文献１】実公平２−５４２０号公報
【発明の開示】
【発明が解決しようとする課題】
【０００６】
ところで、上記特許文献１にあっては、ダイオードによって電圧降下が発生する。その電圧降下分によって、ピークレベルの絶対値を検出することが困難であった。例えば、光ディスクに情報信号を記録する光ディスク記録装置にて記録用レーザ光のパワーを自動調整する自動出力制御装置にあって、ピークレベルの絶対値は、上記パワーを目標値に合わせようとするようなときに、ピーク検出の度に検出レベルが異なることを防ぐ上でも必要となる。
【０００７】
ダイオードの電圧降下をＶd、入力電圧をＶin、出力となるピークレベルの絶対値をＶoutとすると、Ｖout＝Ｖin−Ｖdとなる。しかし、ダイオードの電圧降下分Ｖdは、測定ができないため、上記ピークレベルの絶対値Ｖoutの正確な値を求めることができなくなる。ここで、ダイオードの電圧はおおよそ予測がつくとしても、正確に求めることは難しいので、上記絶対値を求めることはできない。
【０００８】
また、Ｖout＜０の領域ではダイオードがオンしないため、この間の電圧は全く出力されなくなる。これは、ダイオードの入力電圧Ｖinが通常0.6〜0.7Ｖ程度以上の入力でないとスイッチング動作がＯＮしないためである。
【０００９】
本発明は、上記実情に鑑みてなされたものであり、上記ダイオードのようなピーク検出用のレベル検出手段の電圧降下分を補償して最大振幅レベルを正確に保持することができる最大振幅レベル保持装置の提供を目的とする。
【００１０】
また、本発明は、上記最大振幅レベル保持装置により上記ダイオードのようなピーク検出用のレベル検出手段の電圧降下分を補償して記録用レーザ光のモニタ信号の最大振幅レベルを正確に検出し、記録用レーザ光のパワーを自動調整することのできる自動出力制御装置の提供を目的とする。
【課題を解決するための手段】
【００１１】
本発明に係る最大振幅レベル保持装置は、上記課題を解決するために、入力信号の最大振幅レベルを保持する最大振幅レベル保持装置において、上記入力信号のインピーダンスを変換するインピーダンス変換手段と、上記インピーダンス変換手段によってインピーダンスが変換された信号を異なる遅延量で遅延させるように上記インピーダンス変換手段に対して並列に接続される複数の遅延手段と、上記複数の遅延手段によって異なる遅延量で遅延された各信号の最大振幅レベルを検出するレベル検出手段と、上記レベル検出手段の最大振幅レベルを検出するときに発生する電圧降下を補償する補償手段とを備える。
【００１２】
この最大振幅レベル保持装置によれば、複数の遅延手段はインピーダンス変換手段によってインピーダンスが変換された信号を異なる遅延量で遅延させ、レベル検出手段は異なる遅延量で遅延された各信号の最大振幅レベルを検出し、補償手段はレベル検出手段が各信号の最大振幅レベルを検出するときに発生する電圧降下を補償する。
【００１３】
本発明に係る自動出力制御装置は、上記課題を解決するために、光ディスクに情報信号を記録する光ディスク記録装置にて記録用レーザ光のパワーを自動調整する自動出力制御装置において、上記記録用レーザ光のモニタ信号のインピーダンスを変換するインピーダンス変換手段と、上記インピーダンス変換手段によってインピーダンスが変換されたモニタ信号を異なる遅延量で遅延させるように並列に接続される複数の遅延手段と、上記複数の遅延手段によって異なる遅延量で遅延された各モニタ信号の最大振幅レベルを検出するレベル検出手段と、上記レベル検出手段が各信号の最大振幅レベルを検出するときに発生する電圧降下を補償する補償手段とを有する最大振幅レベル保持手段と、上記最大振幅レベル保持手段で検出された最大振幅レベルをサンプル／ホールドするサンプル／ホールド手段と、上記サンプル／ホールド手段によってホールドされた最大振幅レベルに基づいて上記記録用レーザ光の出力を自動制御する制御手段とを備える。
【発明の効果】
【００１４】
本発明に係る最大振幅レベル保持装置は、ピーク検出用のレベル検出手段の電圧降下分を補償して最大振幅レベルを正確に保持することができる。
【００１５】
本発明に係る自動出力制御装置は、最大振幅レベル保持装置により最大振幅検出用のレベル検出手段の電圧降下分を補償して記録用レーザ光のモニタ信号の最大振幅レベルを正確に検出し、記録用レーザ光のパワーを自動調整することができる。
【発明を実施するための最良の形態】
【００１６】
以下、本発明の実施の形態について図面を参照しながら説明する。図１は、入力信号の正の最大振幅レベルであるピークレベルを保持するピークホールド装置１の回路図である。このピークホールド装置１は、入力端子２から入力された信号のインピーダンスを変換する演算増幅器（ボルテージホロワ）４と、演算増幅器４からの出力信号を演算増幅器４に対して並列に接続される複数の遅延器にて遅延する遅延部５と、遅延部５によって遅延された各信号の正の最大振幅レベルであるピークレベルを検出するレベル検出部６と、レベル検出部６が各信号の最大振幅レベルを検出するときに発生する各電圧降下を補償する補償部７とを備えている。
【００１７】
入力端子２からの入力信号は、後述するように、例えば光ディスク記録装置の記録用レーザ光のモニタ信号である。周波数が高く、よって波形変化の時間が早いパルスからなるような信号である。
【００１８】
上記入力信号は、抵抗Ｒ１を介して演算増幅器４の正入力端子に供給される。演算増幅器４は、出力を抵抗Ｒ３を介して負入力端子に負帰還しながら、入力信号のインピーダンスを変換する。この演算増幅器４にてインピーダンスが変換された信号は遅延部５に供給される。
【００１９】
遅延部５は、演算増幅器４に対して並列に接続される複数の遅延器５１，５２，５３及び５４を備える。遅延器５１，５２，５３及び５４には、例えばｔ，２ｔ，３ｔ及び４ｔという異なる遅延量が設定されている。このため、遅延部５は、演算増幅器４の現在の出力と、当該現在の出力よりｔ秒遅延させた出力と、２ｔ秒遅延させた出力と、３ｔ秒遅延させた出力と、４ｔ秒遅延させた出力とをレベル検出部６に供給している。
【００２０】
レベル検出部６は、現在の出力と、現在の出力よりｔ秒遅延させた出力と、２ｔ秒遅延させた出力と、３ｔ秒遅延させた出力と、４ｔ秒遅延させた出力の最大振幅レベルをそれぞれ検出する５個のピークレベル検出器６０，６１，６２，６３及び６４を有する。４つの遅延器との関係で言えば、遅延器の数（４）＋１個のピーク検出器を有することになる。
【００２１】
ピークレベル検出器６０は、カレントミラー構成の互いに特性の等しい一対のｎｐｎトランジスタ６０ａ及び６０ｂからなる。同様に、ピークレベル検出器６１，６２，６３及び６４も、カレントミラー構成の互いに特性の等しい一対のｎｐｎトランジスタ６１ａ及び６１ｂ、一対のｎｐｎトランジスタ６２ａ及び６２ｂ、一対のｎｐｎトランジスタ６３ａ及び６３ｂ、一対のｎｐｎトランジスタ６４ａ及び６４ｂからなる。このように、レベル検出部６は、互いに特性の等しい一対のトランジスタを複数組（５組）カレントミラー構成にして用いてなる。
【００２２】
ここでいうトランジスタの特性とは、入力抵抗、出力抵抗、電流増幅比、電圧増幅比、温度特性等やトランジスタのスイッチング動作に係わる特性全般をいう。
【００２３】
ピークレベル検出器６０を構成する特性の等しい一対のｎｐｎトランジスタ６０ａ及び６０ｂは、ベース同士を接続している。また、ｎｐｎトランジスタ６０ａのコレクタ及び上記ベースには、上記演算増幅器４の出力が直接供給されている。また、ｎｐｎトランジスタ６０ａのエミッタは抵抗Ｒ５を介して接地されている。また、ｎｐｎトランジスタ６０ｂのコレクタは後述する補償部７内のカレントミラー構成の一対のｐｎｐトランジスタ７１ａ及び７１ｂのベース及びｐｎｐトランジスタ７１ａのコレクタに接続している。また、ｎｐｎトランジスタ６０ｂのエミッタは、抵抗Ｒ６を介して接地され、かつ後述する演算増幅器７４の正端子に接続している。
【００２４】
また、特性の等しい一対のｎｐｎトランジスタ６１ａ及び６１ｂは、ベース同士を接続している。また、ｎｐｎトランジスタ６１ａのコレクタ及び上記ベースには、上記遅延器５１の出力が供給されている。また、ｎｐｎトランジスタ６１ａのエミッタは上記ｎｐｎトランジスタ６０ａのエミッタと同様に抵抗Ｒ５を介して接地されている。また、ｎｐｎトランジスタ６１ｂのコレクタは、上記ｎｐｎトランジスタ６０ｂのコレクタと同様に補償部７内の一対のｐｎｐトランジスタ７１ａ及び７１ｂのベース及びｐｎｐトランジスタ７１ａのコレクタに接続している。また、ｎｐｎトランジスタ６１ｂのエミッタは、上記ｎｐｎトランジスタ６０ｂのエミッタと同様に抵抗Ｒ６を介して接地され、かつ後述する演算増幅器７４の正端子に接続している。
【００２５】
以下、同様に、特性の等しい一対のｎｐｎトランジスタ６２ａ及び６２ｂ、６３ａ及び６３ｂ、６４ａ及び６４ｂは、ベース同士を接続している。また、ｎｐｎトランジスタ６２ａのコレクタ及び上記ベースには、上記遅延器５２、遅延器５３及び遅延器５４の出力が供給されている。また、ｎｐｎトランジスタ６２ａ、６３ａ及び６４ａの各エミッタは抵抗Ｒ５を介して接地されている。また、ｎｐｎトランジスタ６２ｂ、６３ｂ及び６４ｂの各コレクタは、補償部７内の一対のｐｎｐトランジスタ７１ａ及び７１ｂのベース及びｐｎｐトランジスタ７１ａのコレクタに接続している。また、ｎｐｎトランジスタ６２ｂ、６３ｂ及び６４ｂのエミッタは、抵抗Ｒ６を介して接地され、かつ後述する演算増幅器７４の正端子に接続している。
【００２６】
補償部７は、Ｖccに並列接続された抵抗Ｒ７及びＲ８を介して、エミッタをそれぞれ接続している一対のｐｎｐトランジスタ７１ａ及び７１ｂからなる等価電流発生器７１を備える。等価電流発生器７１は、レベル検出器６０〜６４の各ｎｐｎトランジスタ６０ａ〜６４ａに電流Ｉが流れるときに、各ｎｐｎトランジスタ６０ｂ〜６４ｂに電流Ｉを流すためのものである。ｐｎｐトランジスタ７１ａから上記電流Ｉに等価な電流Ｉを流すので、ｐｎｐトランジスタ７１ｂにも電流Ｉが流れる。
【００２７】
補償部７は、ｐｎｐトランジスタ７１ｂからの電流Ｉがコレクタ、ベースに供給されるスイッチングトランジスタ７２も備える。このスイッチングトランジスタ７２もｎｐｎ型であり、エミッタを接地している。このｎｐｎトランジスタ７２は、特性をレベル検出器６０〜６４を構成している各ｎｐｎトランジスタと同じにする。ｎｐｎトランジスタ７２のエミッタは接地されており、またコレクタは演算増幅器７３の正入力端子に接続している。また、ｎｐｎトランジスタ７２のコレクタは、ｐｎｐトランジスタ７１ｂのコレクタにも、接続されている。
【００２８】
補償部７は、さらに演算増幅器７３及び演算増幅器７４と、演算増幅器７５とを備えている。演算増幅器７３は、ｎｐｎトランジスタ７２に流れた電流Ｉによる電圧降下の値を検出する。この電圧降下値は、上記レベル検出部６の各ｎｐｎトランジスタ６０ａ〜６４ａに電流Ｉが流れるときの電圧降下分と等しい。
【００２９】
演算増幅器７４は、上記レベル検出部６の各ｎｐｎトランジスタ６０ｂ〜６４ｂから出力される、上記電圧降下分を含んだ電圧値を演算する。
【００３０】
演算増幅器７３の演算出力は抵抗Ｒ９を介して演算増幅器７５の正入力端子に供給される。また、演算増幅器７４の演算出力も抵抗Ｒ１０を介して演算増幅器７５の正入力端子に供給される。演算増幅器７５は、各レベル検出部用のｎｐｎトランジスタ６０ａ〜６４ａの電圧降下分を補償した入力信号のピークレベルを検出し、出力端子８から導出することができる。
【００３１】
図２はピークホールド装置１の動作を詳細に説明するためのタイミングチャートである。今、入力端子２から例えば上記モニタ信号のような入力信号がピークホールド装置１に入力されたとする。ボルテージホロワである演算増幅器４は、入力信号のインピーダンスを高インピーダンスから低インピーダンスに変換し、回路動作を安定させる。
【００３２】
遅延部５は、演算増幅器４に対して並列に接続される複数の遅延器５１，５２，５３及び５４により、上記インピーダンス変換された信号を、現在の出力（図２（ａ））に対して、ｔ遅延させた出力（図２（ｂ））と、２ｔ遅延させた出力（図２（ｃ））と、３ｔ遅延させた出力（図２（ｄ））と、４ｔ遅延させた出力（図２（ｅ））とをレベル検出器６の各ピークレベル検出器６１，６２，６３及び６４に供給する。現在の出力（図２（ａ））は、ピークレベル検出器６０に供給される。
【００３３】
レベル検出部６のピークレベル検出器６０のｎｐｎトランジスタ６０ａには、図２（ａ）のピークＰ０の電圧が印可されるので、電流Ｉ０が流れる。このとき、カレントミラー構成のｎｐｎトランジスタ６０ｂにも、電流Ｉ０が上記補償部７内のカレントミラー構成のｐｎｐトランジスタ７１ａから流れてくる。このｎｐｎトランジスタ６０ｂを流れた電流Ｉ０は、演算増幅器７４に供給される。また、補償部７内のカレントミラー構成のｐｎｐトランジスタ７１ａに流れた電流Ｉ０と同じ電流はｐｎｐトランジスタ７１ｂにも流れる。したがって、ｎｐｎトランジスタ７２にも電流Ｉ０が流れる。このｎｐｎトランジスタ７２は、ｎｐｎトランジスタ６０ａとトランジスタの特性が等しいものである。よって、ｎｐｎトランジスタ７２に電流Ｉ０が流れることによる電圧降下分は、ｎｐｎトランジスタ６０ａに電流Ｉ０が流れることによる電圧降下分と等しくなる。演算増幅器７３は、その電圧降下分Ｖｄを算出する。
【００３４】
一方、演算増幅器７４には、ｎｐｎトランジスタ６０ａに対してカレントミラー構成のｎｐｎトランジスタ６０ｂからの出力Ｖoutが供給される。このＶoutには、入力電圧Ｖin（ピークレベルＰ０）と、ｎｐｎトランジスタ６０ａによる電圧降下分−Ｖdも含まれている。つまり、演算増幅器７４にはＶout＝Ｖin−Ｖdが供給される。
【００３５】
演算増幅器７５は、演算増幅器７３からの＋Ｖdと演算増幅器７４からのＶoutとを加算することになるので、Ｖout＝Ｖin−Ｖd＋Ｖdにより、電圧降下分Ｖdを補償したＶout＝Ｖin（＝ピークレベルＰ０）を演算することになる。
【００３６】
また、ｔ秒後にあって、ピークレベル検出器６１のｎｐｎトランジスタ６１ａには、電流Ｉ１が流れ、以下同様に、カレントミラー構成のｎｐｎトランジスタ６１ｂにも、電流Ｉ１が上記補償部７内のカレントミラー構成のｐｎｐトランジスタ７１ａから流れてくる。すると、ｎｐｎトランジスタ７２に電流Ｉ１が流れる。このｎｐｎトランジスタ７２は、ｎｐｎトランジスタ６１ａとトランジスタの特性が等しいものである。よって、ｎｐｎトランジスタ７２に電流Ｉ１が流れることによる電圧降下分は、ｎｐｎトランジスタ６１ａに電流Ｉ１が流れることによる電圧降下分と等しくなる。演算増幅器７３は、その電圧降下分Ｖｄを算出する。
【００３７】
一方、演算増幅器７４には、ｎｐｎトランジスタ６１ａに対してカレントミラー構成のｎｐｎトランジスタ６１ｂからの出力Ｖoutが供給される。このＶoutには、入力電圧Ｖin（ピークレベルＰ１）と、ｎｐｎトランジスタ６１ａによる電圧降下分−Ｖdも含まれている。つまり、演算増幅器７４にはＶout＝Ｖin−Ｖdが供給される。
【００３８】
そして、演算増幅器７５は、演算増幅器７３からの＋Ｖdと演算増幅器７４からのＶoutとを加算することになるので、Ｖout＝Ｖin−Ｖd＋Ｖdにより、電圧降下分Ｖdを補償したＶout＝Ｖin（＝ピークレベルＰ１）を演算することになる。
【００３９】
以下、２ｔ秒後、３ｔ秒後、４ｔ秒後に、各ピークレベル検出器６２、６３及び６４と、補償部７のｐｎｐトランジスタ７１ａ及び７１ｂ、ｎｐｎトランジスタ７２、及び演算増幅器７３、７４及び７５が同様に動作する。
【００４０】
したがって、ピークホールド装置１は、上記モニタ信号のような入力信号のピークレベルＰ（図２（ｆ））をホールドすることができる。このピークレベルは、ピークレベル検出器６０〜６４のｎｐｎトランジスタ６０ａ〜６４ａの電圧降下分が補償された正確なピークレベル、つまりピークレベルの絶対値である。
【００４１】
図３は、入力信号の負の最大振幅レベルであるボトムを保持するボトムホールド装置１１の回路図である。このボトムホールド装置１１は、入力端子１２から入力された信号のインピーダンスを変換する演算増幅器（ボルテージホロワ）１４と、演算増幅器１４からの出力信号を演算増幅器１４に対して並列に接続される複数の遅延器にて遅延する遅延部１５と、遅延部１５によって遅延された各信号の負の最大振幅レベルであるボトムレベルを検出するレベル検出部１６と、レベル検出部１６が各信号の負の最大振幅レベルを検出するときに発生する各電圧降下を補償する補償部１７とを備えている。
【００４２】
入力端子１２からの入力信号も、後述するように、例えば光ディスク記録装置の記録用レーザ光のモニタ信号である。周波数が高く、よって波形変化の時間が早いパルスからなるような信号である。
【００４３】
上記入力信号は、抵抗Ｒ１を介して演算増幅器１４の正入力端子に供給される。演算増幅器１４は、出力を抵抗Ｒ３を介して負入力端子に負帰還しながら、入力信号のインピーダンスを変換する。この演算増幅器１４にてインピーダンスが変換された信号は遅延部１５に供給される。
【００４４】
遅延部１５は、演算増幅器１４に対して並列に接続される複数の遅延器１５１，１５２，１５３及び１５４を備える。遅延器１５１，１５２，１５３及び１５４は、例えばｔ，２ｔ，３ｔ及び４ｔという異なる遅延量が設定されている。このため、遅延部１５は、演算増幅器１４の現在の出力と、当該現在の出力よりｔ遅延させた出力と、２ｔ遅延させた出力と、３ｔ遅延させた出力と、４ｔ遅延させた出力とをレベル検出部１６に供給している。
【００４５】
レベル検出部１６は、現在の出力と、現在の出力よりｔ遅延させた出力と、２ｔ遅延させた出力と、３ｔ遅延させた出力と、４ｔ遅延させた出力の負の最大振幅レベルをそれぞれ検出するボトムレベル検出器１６０，１６１，１６２，１６３及び１６４を有する。ボトムレベル検出器１６０は、カレントミラー構成の互いに特性の等しい一対のｐｎｐトランジスタ１６０ａ及び１６０ｂからなる。同様に、ボトムレベル検出器１６１，１６２，１６３及び１６４も、カレントミラー構成の互いに特性の等しい一対のｐｎｐトランジスタ１６１ａ及び１６１ｂ、一対のｐｎｐトランジスタ１６２ａ及び１６２ｂ、一対のｐｎｐトランジスタ１６３ａ及び１６３ｂ、一対のｐｎｐトランジスタ１６４ａ及び１６４ｂからなる。
【００４６】
ここでいうトランジスタの特性とは、入力抵抗、出力抵抗、電流増幅比、電圧増幅比、温度特性等やトランジスタのスイッチング動作に係わる特性全般をいう。
【００４７】
ボトムレベル検出器１６０を構成する特性の等しい一対のｐｎｐトランジスタ１６０ａ及び１６０ｂは、ベースを共通としている。また、ｐｎｐトランジスタ１６０ａのコレクタ及び上記共通のベースには、上記演算増幅器１４の出力が直接供給されている。また、ｐｎｐトランジスタ１６０ａのエミッタは抵抗Ｒ７を介してＶccに接続されている。また、ｐｎｐトランジスタ１６０ｂのコレクタは後述する補償部１７内のｐｎｐトランジスタ１７１のエミッタに接続され、さらに演算増幅器１７３の正端子に接続されている。また、ｐｎｐトランジスタ１６０ｂのエミッタは、抵抗Ｒ８を介してＶccに接続され、さらに演算増幅器１７２の正端子に接続されている。
【００４８】
以下、同様に、特性の等しい一対のｐｎｐトランジスタ１６１ａ及び１６１ｂ、１６２ａ及び１６２ｂ、１６３ａ及び１６３ｂ、１６４ａ及び１６４ｂも同様に、遅延部１５、補償部１７の各部に接続されている。
【００４９】
補償部１７は、上記一対のｐｎｐトランジスタ１６０ａ及び１６０ｂ等と特性を同じにするｐｎｐトランジスタ１７１と、演算増幅器１７２と、演算増幅器１７３と、演算増幅器１７４とを備えている。
【００５０】
次に、図２を参照して、ボトムホールド装置１１の動作を説明する。今、入力端子１２から例えば上記モニタ信号のような入力信号がボトムホールド装置１１に入力されたとする。ボルテージホロワである演算増幅器１４は、入力信号のインピーダンスを高インピーダンスから低インピーダンスに変換し、回路動作を安定させる。
【００５１】
遅延部１５は、演算増幅器１４に対して並列に接続される複数の遅延器１５１，１５２，１５３及び１５４により、上記インピーダンス変換された信号を、現在の出力（図２（ａ））に対して、ｔ遅延させた出力（図２（ｂ））と、２ｔ遅延させた出力（図２（ｃ））と、３ｔ遅延させた出力（図２（ｄ））と、４ｔ遅延させた出力（図２（ｅ））とをレベル検出器１６の各ボトムレベル検出器１６１，１６２，１６３及び１６４に供給する。現在の出力（図２（ａ））は、ボトムレベル検出器１６０に供給される。
【００５２】
レベル検出部１６のボトムレベル検出器１６０のｐｎｐトランジスタ１６０ａには、図２（ａ）のボトムＢ０の電圧が印可されるので、電流Ｉ０が流れる。このとき、カレントミラー構成のｐｎｐトランジスタ１６０ｂにも、電流Ｉ０がＶccから流れてくる。このｐｎｐトランジスタ１６０ｂを流れた電流Ｉ０は、補償部１７内のｐｎｐトランジスタ１７１ａにも流れる。このｐｎｐトランジスタ１７１は、ｐｎｐトランジスタ１６０ａとトランジスタの特性が等しいものである。よって、ｐｎｐトランジスタ１７１に電流Ｉ０が流れることによる電圧降下分は、ｐｎｐトランジスタ１６０ａに電流Ｉ０が流れることによる電圧降下分と等しくなる。演算増幅器１７３は、その電圧降下分Ｖｄを算出する。
【００５３】
一方、演算増幅器１７２には、ｐｎｐトランジスタ１６０ａに対してカレントミラー構成のｐｎｐトランジスタ１６０ｂからの出力Ｖoutが供給される。このＶoutには、入力電圧Ｖin（ボトムレベルＢ０）と、ｐｎｐトランジスタ１６０ａによる電圧降下分−Ｖdも含まれている。つまり、演算増幅器１７２にはＶout＝Ｖin−Ｖdが供給される。
【００５４】
そして、演算増幅器１７４は、演算増幅器１７３からの＋Ｖdと演算増幅器１７２からのＶoutとを加算することになるので、Ｖout＝Ｖin−Ｖd＋Ｖdにより、電圧降下分Ｖdを補償したＶout＝Ｖin（＝ボトムレベルＢ０）を演算することになる。
【００５５】
また、ｔ秒後にあって、ボトムレベル検出器１６１のｐｎｐトランジスタ１６１ａには、電流Ｉ１が流れ、以下同様に、カレントミラー構成のｎｐｎトランジスタ１６１ｂにも、電流Ｉ１がＶccから流れてくる。すると、ｐｎｐトランジスタ１７１に電流Ｉ１が流れる。このｐｎｐトランジスタ１７１は、ｐｎｐトランジスタ１６１ａとトランジスタの特性が等しいものである。よって、ｐｎｐトランジスタ１７１に電流Ｉ１が流れることによる電圧降下分は、ｐｎｐトランジスタ１６１ａに電流Ｉ１が流れることによる電圧降下分と等しくなる。演算増幅器１７３は、その電圧降下分Ｖｄを算出する。
【００５６】
一方、演算増幅器１７２には、ｐｎｐトランジスタ１６１ａに対してカレントミラー構成のｐｎｐトランジスタ１６１ｂからの出力Ｖoutが供給される。このＶoutには、入力電圧Ｖin（ボトムレベルＢ１）と、ｐｎｐトランジスタ１６１ａによる電圧降下分−Ｖdも含まれている。つまり、演算増幅器１７２にはＶout＝Ｖin−Ｖdが供給される。
【００５７】
そして、演算増幅器１７４は、演算増幅器１７３からの＋Ｖdと演算増幅器１７２からのＶoutとを加算することになるので、Ｖout＝Ｖin−Ｖd＋Ｖdにより、電圧降下分Ｖdを補償したＶout＝Ｖin（＝ボトムレベルＢ１）を演算することになる。
【００５８】
以下、２ｔ秒後、３ｔ秒後、４ｔ秒後に、各ボトムレベル検出器１６２、１６３及び１６４と、補償部１７のｐｎｐトランジスタ１７１、及び演算増幅器１７３、１７２及び１７４が同様に動作する。
【００５９】
したがって、ボトムホールド装置１１は、上記モニタ信号のような入力信号のボトムレベルＢ（図２（ｇ））をホールドすることができる。このボトムレベルは、ボトムレベル検出器１６０〜１６４のｐｎｐトランジスタ１６０ａ〜１６４ｂの電圧降下分が補償された正確なボトムレベル、つまりボトムレベルの絶対値である。
【００６０】
図４は、上記ピークレベルホールド装置１にてホールドされたピークレベル、ボトムレベルホールド装置１１にてホールドされたボトムレベルを用いて、記録用レーザ光のパワーを自動制御する自動出力制御装置２１０を備えてなる、光ディスク記録装置２００の構成図である。
【００６１】
光ディスク記録装置２００は、図示しないホストコンピュータから入力端子２１６を介して供給された記録信号を変調部２１７により変調し、変調部２１７からの変調データに基づいて光学ピックアップ２０３内のレーザ発光素子２０４を駆動し、光ディスク２０１に記録信号に基づいた記録マークを記録する。また、例えば内周側の所定領域に設けられた試し書き領域に記録マークを試し書きしながら、自動出力制御装置２１０を用いてレーザ発光素子２０４の発生する記録用レーザ光のパワーを自動調整する。
【００６２】
記録マークは、例えば図２（ａ）に示したような、ピークレベルとボトムレベルを備えた所定時間にわたるパルス波形からなる。一般的には、パルスを立ち上げ、ピークレベルにてレーザ光を出力し、ボトムレベルにてクールし、これらの動作を繰り返した後、イレーズレベルにする。これにより、例えばエンボスピットのような記録マークが記録される。
【００６３】
試し書きの際、光学ピックアップ２０３内のレーザ発光素子２０４が発生した記録用レーザ光は、ミラー２０５、２０６にてフォトダイオード２０７に導かれる。フォトダイオード２０７は、上記記録用レーザ光を電気信号に変換し、自動出力制御装置２１０に供給する。
【００６４】
自動出力制御装置２１０は、上記電気信号をアンプ２１１で増幅したのち、ピークレベルをホールドするためにピークホールド装置１及びボトムレベルをホールドするためにボトムホールド装置１１に供給する。また、イレーズレベルのホールドのために、サンプル／ホールド（Ｓ／Ｈ）回路２１２に供給する。
【００６５】
ピークホールド装置１は、図１に示した回路構成であり、ピークレベル検出器６０〜６４のｎｐｎトランジスタ６０ａ〜６４ｂの電圧降下分が補償された正確なピークレベル、つまりピークレベルの絶対値をホールドし、サンプル／ホールド回路２１３に供給する。サンプル／ホールド回路２１３は、上記電圧降下分が補償された正確なピークレベルの絶対値をサンプリングしてホールドし、パワーコントローラ２１５に供給する。
【００６６】
ボトムホールド装置１１は、図３に示した回路構成であり、ボトムレベル検出器１６０〜１６４のｐｎｐトランジスタ１６０ａ〜１６４ｂの電圧降下分が補償された正確なボトムレベル、つまりボトムレベルの絶対値をホールドし、サンプル／ホールド回路２１４に供給する。サンプル／ホールド回路２１４は、上記電圧降下分が補償された正確なボトムレベルの絶対値をサンプリングしてホールドし、パワーコントローラ２１５に供給する。
【００６７】
サンプル／ホールド回路２１２は、イレーズレベルをサンプリングしてホールドし、パワーコントローラ２１５に供給する。
【００６８】
パワーコントローラ２１５は、サンプル／ホールド回路２１２、２１３、２１４から供給されるイレーズレベルのサンプリングホールド値、ピークレベルのサンプリングホールド値、ボトムレベルのサンプリングホールド値を基にして、レーザ発光素子２０４の記録用レーザ光出力を自動調整する。
【００６９】
このように、光ディスク記録装置２００にあって、自動出力制御装置２１０は、ピークホールド装置１及びボトムホールド装置１１を内蔵することにより、最大振幅検出用のレベル検出手段の電圧降下分を補償して記録用レーザ光のモニタ信号の最大振幅レベルを正確に検出し、記録用レーザ光のパワーを自動調整することができる。
【００７０】
また、この光ディスク記録装置２００は、再生処理を行うときには、光学ピックアップ２０３内のミラー２０８にて光ディスク２０１からの戻り光を分離し、フォトダイオード２０９に導く。フォトダイオード２０９は、戻り光量からＲＦ信号を生成し、ＲＦアンプ２１９に供給する。ＲＦアンプ２１９は、再生信号を信号処理部２２０に供給する。また、ＲＦアンプ２１９又は信号処理部２２０は、光学ピックアップ２０３のスレッドサーボ信号、トラッキングサーボ信号、フォーカスサーボ信号、スピンドルモータ２０２のスピンドルサーボ信号を生成し、サーボ回路２１８に供給する。サーボ回路２１８は、上記スレッドサーボ信号、トラッキングサーボ信号、フォーカスサーボ信号、スピンドルサーボ信号に基づいて、光学ピックアップ２０３及びスピンドルモータ２０２のサーボを制御する。
【００７１】
なお、図５には、本発明に係る最大振幅レベル保持装置のうち、ピークホールド装置の他の具体例２１の構成を示す。このピークホールド装置２１は、上記図１に示したピークホールド装置１と、補償部９の構成が異なる。
【００７２】
補償部９は、ｎｐｎトランジスタ９１と、バッファ９２，９３と、差動増幅器９４と、演算増幅器９５，９６及び９７とを備えて成る。ピークレベル検出器６０，６１，６２，６３及び６４の各ｎｐｎトランジスタ６０ａ，６１ａ，６２ａ，６３ａ及び６４ａの電圧降下分を、それぞれカレントミラー構成の各ｎｐｎトランジスタ６０ｂ，６１ｂ，６２ｂ，６３ｂ及び６４ｂに電流が流れるときに、補償部９内のｎｐｎトランジスタ９１にも、同じ電流Ｉが流れる。このときのｎｐｎトランジスタ９１の電圧降下分を差動増幅器９４で検出している。演算増幅器９５にてＶdを求め、演算増幅器９６で求められたＶout＝Ｖin−Ｖdに加算することにより、演算増幅器９７はＶout＝Ｖin−Ｖd＋Ｖdにより、電圧降下分Ｖdを補償したＶout＝Ｖin（＝ピークレベルＰ０）を演算することになる。
【００７３】
したがって、ピークホールド装置２１も、上記モニタ信号のような入力信号のピークレベルＰ（図２（ｆ））をホールドすることができる。このピークレベルは、ピークレベル検出器６０〜６４のｎｐｎトランジスタ６０ａ〜６４ａの電圧降下分が補償された正確なピークレベル、つまりピークレベルの絶対値である。
【００７４】
以上説明したように、上記実施の形態によれば、高速にスイッチングするパルスなどのピーク値やボトム値を高速のＡ／Ｄコンバータなどを用いなくとも簡単な構造により、ホールドできる。このため、コストの安い低速のＡ／Ｄコンバータなどを用いても正確サンプリングできるようになる。
【００７５】
また、上記ピークホールド装置、ボトムホールド装置を、光ディスク記録装置内にて、自動出力制御装置に組み込むことにより、ピーク値、ボトム値を正確に取得できるために、記録用レーザ光のコントロールが正確に行える。よって、書き込み品質の向上が実現できる。
【００７６】
なお、上記ピークホールド装置、ボトムホールド装置にあっては、元の信号にオフセット電圧Ｖoffsetをつけてかさ上げすることで、常に回路が動作するようになり、ピークレベル検出器、ボトムレベル検出器の各検出素子の動作範囲外の出力電圧にも対応可能となる。
【図面の簡単な説明】
【００７７】
【図１】ピークホールド装置の回路図である。
【図２】ピークホールド装置の動作を詳細に説明するためのタイミングチャートである。
【図３】ボトムホールド装置の回路図である。
【図４】自動出力制御装置を備えてなる光ディスク記録装置のブロック図である。
【図５】ピークホールド装置の他の回路図である。
【符号の説明】
【００７８】
１  ピークホールド装置、４  演算増幅器、５  遅延部、６  レベル検出部、７  補償部
【図１】
2006048759.tif 000003
【図２】
2006048759.tif 000004
【図３】
2006048759.tif 000005
【図４】
2006048759.tif 000006
【図５】
2006048759.tif 000007